【手続補正書】
【提出日】平成19年4月25日(2007.4.25)
【手続補正１】
【補正対象書類名】明細書
【補正対象項目名】発明の名称
【補正方法】変更
【補正の内容】
【発明の名称】電子チケットと電子財布と電子チケット発行手段
【手続補正２】
【補正対象書類名】明細書
【補正対象項目名】特許請求の範囲
【補正方法】変更
【補正の内容】
【特許請求の範囲】
【請求項１】
ネットワークを介して、提供側から必要な許可または商品やサービスの提供を受けるためのネットワーク連携型電子チケットであって、少なくとも、
前記提供側との認証処理に用いる認証情報と、
前記電子チケットを保持する装置が利用可能な、オンライン情報サービスを提供する提供側の識別情報と、
前記オンライン情報サービスを受ける際の認証処理に用いる認証情報と、
を記憶するデータ保持部を有するネットワーク連携型電子チケット。
【請求項２】
請求項１に記載のネットワーク連携型電子チケットであって、前記データ保持部は、さらに、
前記電子チケットを保持する装置が利用可能な、提供されるオンライン情報サービスのメニュー情報を記憶している、
ことを特徴とするネットワーク連携型電子チケット。
【請求項３】
請求項１に記載のネットワーク連携型電子チケットであって、前記データ保持部は、さらに、
前記オンライン情報サービスによって受信され前記装置上に格納された情報を示すブックマークリストを記憶している、
ことを特徴とするネットワーク連携型電子チケット。
【請求項４】
請求項１に記載のネットワーク連携型電子チケットであって、前記データ保持部は、さらに、
前記オンライン情報サービスによって変更される予約情報と、
前記電子チケットを保持する装置を制御するための制御プログラムであり、且つ、前記予約情報を変更するネットワークサービスプログラムと、
を記憶している、
ことを特徴とするネットワーク電子チケット。
【請求項５】
ネットワークを介して、電子財布にネットワーク連携型電子チケットを発行するサービスサーバであって、
前記電子財布と通信する通信手段と、
前記ネットワーク連携型電子チケットを生成するチケット発行データベースと、
前記ネットワーク連携型電子チケットへの電子署名に用いるサービスサーバ秘密鍵と、
を備え、
前記チケット発行データベースでは、少なくとも、
提供側との認証処理に用いる認証情報と、
前記ネットワーク連携型電子チケットを保持する装置に対してオンライン情報サービスを提供する情報サーバの識別情報と、
前記オンライン情報サービスを受ける際の認証処理に用いる認証情報と、
を備えるネットワーク連携型電子チケットを生成する、
ことを特徴とするサービスサーバ。
【請求項６】
請求項５に記載のサービスサーバであって、前記チケット発行データベースは、
前記電子チケットを格納する装置に対して提供されるオンライン情報サービスのメニュー情報を、さらに備えるネットワーク連携型電子チケットを生成する、
ことを特徴とするサービスサーバ。
【請求項７】
請求項５に記載のサービスサーバであって、前記チケット発行データベースは、
前記オンライン情報サービスによって受信され前記装置上に格納された情報を示すブックマーク情報を、さらに備えるネットワーク連携型電子チケットを生成する、
ことを特徴とするサービスサーバ。
【請求項８】
請求項５に記載のサービスサーバであって、前記チケット発行データベースは、
前記オンライン情報サービスによって変更される予約情報と、
前記電子チケットを格納する装置のための制御プログラムであり前記予約情報を変更するネットワークサービスプログラムと
を、さらに備えるネットワーク連携型電子チケットを生成する、
ことを特徴とするサービスサーバ。
【請求項９】
ネットワーク連携型電子チケットを用いて、ネットワークを介して提供側から必要な許可または商品やサービスの提供を受ける電子財布であって、
前記ネットワーク連携型電子チケットを格納するためのチケット蓄積手段と、
前記提供側からオンライン情報サービスを受信する情報サービス受領手段と、
を備え、
前記情報サービス受領手段は、
前記ネットワーク連携型電子チケットに含まれる第１の認証情報を用いて、前記提供側との認証処理を行い、
前記ネットワーク連携型電子チケットに含まれる前記提供側の識別情報を用いて、前記提供側にアクセスし、
前記ネットワーク連携型電子チケットに含まれる第２の認証情報を用いて、前記オンライン情報サービスを受ける際の認証処理を行う、
ことを特徴とする電子財布。
【請求項１０】
請求項９に記載の電子財布であって、
前記ネットワーク連携型電子チケットは、さらに、前記オンライン情報サービスのメニュー情報を備えており、
前記情報サービス受領手段は、前記メニュー情報からユーザが選択したメニューに関連付けられた提供側からオンライン情報サービスを受信する、
ことを特徴とする電子財布。
【請求項１１】
請求項９に記載の電子財布であって、
前記ネットワーク連携型電子チケットは、さらに、前記情報サービス受領手段によって前記オンライン情報サービスから受信し前記チケット蓄積手段に格納された情報を示すブックマーク情報を備えており、
前記情報サービス受領手段は、前記ブックマーク情報からユーザが選択したブックマークに関連付けられた前記情報を、前記チケット蓄積手段から呼び出す、
ことを特徴とする電子財布。
【請求項１２】
請求項９に記載の電子財布であって、
前記ネットワーク連携型電子チケットは、さらに、
前記オンライン情報サービスによって変更される予約情報と、
前記電子財布のための制御プログラムであり、且つ、前記予約情報を変更するネットワークサービスプログラムと、
を備え、
前記情報サービス受領手段は、前記ネットワークサービスプログラムに従って、前記オンライン情報サービスを受信し、且つ、前記予約情報を変更する、
ことを特徴とする電子財布。
【請求項１３】
請求項９に記載の電子財布であって、
前記ネットワーク連携型電子チケットは、さらに、
前記オンライン情報サービスによって変更される予約情報と、
前記電子財布のための制御プログラムであり、且つ、前記予約情報を変更するプログラムモジュールの識別情報と、
を有し、
前記情報サービス受領手段は、前記プログラムモジュールの識別情報が示すプログラムモジュールをネットワークを介して受信し、前記プログラムモジュールを実行して前記予約情報を変更する、
ことを特徴とする電子財布。
【手続補正３】
【補正対象書類名】明細書
【補正対象項目名】０００１
【補正方法】変更
【補正の内容】
【０００１】
【発明の属する技術分野】
本発明は、イベント、映画、列車、飛行機などの各種チケットを電子化した電子チケット、電子チケットを収める電子財布、及び、電子チケットの発行手段に関し、特に、電子チケットにオンライン情報サービスを受ける機能を持たせたものである。
【手続補正４】
【補正対象書類名】明細書
【補正対象項目名】００１４
【補正方法】変更
【補正の内容】
【００１４】
本発明は、こうした従来の問題点を解決するものであり、流通する各種チケットを電子化し、このチケットの付加価値を高めるために、チケットに基づいてオンライン情報サービスが受けられるシステムを提供する。そして、このシステムの下で、個人消費者が、チケットの購入やサービス入手の操作に煩わされずに、利便性を享受することができ、また、システムの高い安全性を維持し、低コストでの運用を可能にする電子チケットや、この電子チケットを収める電子財布、及び、電子チケットの発行手段を提供することを目的としている。
【手続補正５】
【補正対象書類名】明細書
【補正対象項目名】００１５
【補正方法】変更
【補正の内容】
【００１５】
【課題を解決するための手段】
本発明の電子チケットは、ネットワークを介して、提供側から必要な許可または商品やサービスの提供を受けるためのネットワーク連携型電子チケットであって、少なくとも、前記提供側との認証処理に用いる認証情報と、前記電子チケットを保持する装置が利用可能な、オンライン情報サービスを提供する提供側の識別情報と、前記オンライン情報サービスを受ける際の認証処理に用いる認証情報と、を記憶するデータ保持部を有する。
また、本発明の電子チケット発行手段は、ネットワークを介して、電子財布にネットワーク連携型電子チケットを発行するサービスサーバであって、前記電子財布と通信する通信手段と、前記ネットワーク連携型電子チケットを生成するチケット発行データベースと、前記ネットワーク連携型電子チケットへの電子署名に用いるサービスサーバ秘密鍵と、を備え、前記チケット発行データベースでは、少なくとも、提供側との認証処理に用いる認証情報と、前記ネットワーク連携型電子チケットを保持する装置に対してオンライン情報サービスを提供する情報サーバの識別情報と、前記オンライン情報サービスを受ける際の認証処理に用いる認証情報と、を備えるネットワーク連携型電子チケットを生成する、ことを特徴とする。
【手続補正６】
【補正対象書類名】明細書
【補正対象項目名】００１６
【補正方法】変更
【補正の内容】
【００１６】
また、電子財布は、ネットワーク連携型電子チケットを用いて、ネットワークを介して提供側から必要な許可または商品やサービスの提供を受ける電子財布であって、前記ネットワーク連携型電子チケットを格納するためのチケット蓄積手段と、前記提供側からオンライン情報サービスを受信する情報サービス受領手段と、を備え、前記情報サービス受領手段は、前記ネットワーク連携型電子チケットに含まれる第１の認証情報を用いて、前記提供側との認証処理を行い、前記ネットワーク連携型電子チケットに含まれる前記提供側の識別情報を用いて、前記提供側にアクセスし、前記ネットワーク連携型電子チケットに含まれる第２の認証情報を用いて、前記オンライン情報サービスを受ける際の認証処理を行う、ことを特徴とする。